(57)【要約】  固体撮像装置は、複数のマイクロレンズと、第１の基板と、第２の基板とを有する。前記第１の基板は、複数の第１の光電変換部を有する。前記複数の第１の光電変換部はそれぞれ前記複数のマイクロレンズのいずれか１つに対応する。前記第２の基板は、複数の第２の光電変換部および複数の第３の光電変換部を有する。複数の組が配置され、前記複数の組はそれぞれ１つの前記第２の光電変換部および１つの前記第３の光電変換部を含む。前記複数の組はそれぞれ前記複数の第１の光電変換部の少なくとも１つに対応する。
2016111004.tif 000002
【特許請求の範囲】
【請求項１】
複数のマイクロレンズと、
複数の第１の光電変換部を有し、前記複数の第１の光電変換部はそれぞれ前記複数のマイクロレンズのいずれか１つに対応し、前記複数のマイクロレンズを透過した第１の光は、前記複数のマイクロレンズに対応する前記複数の第１の光電変換部に入射し、前記複数の第１の光電変換部は、前記第１の光に応じた第１の信号を生成する第１の基板と、
複数の第２の光電変換部および複数の第３の光電変換部を有し、複数の組が配置され、前記複数の組はそれぞれ１つの前記第２の光電変換部および１つの前記第３の光電変換部を含み、前記複数の組はそれぞれ前記複数の第１の光電変換部の少なくとも１つに対応し、前記複数の第１の光電変換部を透過した第２の光は、前記複数の第１の光電変換部に対応する前記複数の組に入射し、前記複数の第２の光電変換部は、第３の光に応じた第２の信号を生成し、前記第３の光は、第１のレンズ領域を通過した光に対応する前記第２の光であり、前記複数の第３の光電変換部は、第４の光に応じた第３の信号を生成し、前記第４の光は、第２のレンズ領域を通過した光に対応する前記第２の光である第２の基板と、
を有し、
前記複数のマイクロレンズの光学的前方に撮像レンズが配置され、前記撮像レンズは、前記第１のレンズ領域と前記第２のレンズ領域とを有する
固体撮像装置。
【請求項２】
前記第２の基板はさらに、前記第２の光電変換部と前記第３の光電変換部との間に配置された電荷分離領域を有し、前記電荷分離領域は前記第２の光電変換部と前記第３の光電変換部との間の電荷の移動を妨げる請求項１に記載の固体撮像装置。
【請求項３】
前記第１の基板はさらに、
積層された複数の配線を有する配線層と、
前記複数の配線の一部を有し、前記電荷分離領域と重なるように配置された分離層と、
を有する請求項２に記載の固体撮像装置。
【請求項４】
前記複数の組は行列状に配置され、
前記複数の組の配列の同一方向に沿って配置された２個以上の前記第２の光電変換部で生成された２個以上の前記第２の信号は加算され、前記同一方向に沿って配置された２個以上の前記第３の光電変換部で生成された２個以上の前記第３の信号は加算される
請求項１に記載の固体撮像装置。
【請求項５】
前記複数の組はそれぞれ２個以上の前記第１の光電変換部に対応し、２個以上の前記第１の光電変換部を透過した前記第２の光は、前記２個以上の前記第１の光電変換部に対応する前記組に含まれる１つの前記第２の光電変換部および１つの前記第３の光電変換部に入射する請求項１に記載の固体撮像装置。
【発明の詳細な説明】
【技術分野】
【０００１】
本発明は、複数の基板が積層された構造を有する固体撮像装置に関する。
【背景技術】
【０００２】
オートフォーカス（ＡＦ）の方式の例として、位相差ＡＦセンサを用いる方式すなわち位相差ＡＦがある。ミラーレス一眼レフカメラでは、筐体の都合上、位相差ＡＦセンサを搭載することが従来のデジタル一眼レフカメラよりも難しい。この点に鑑み、有効画素エリア内に画像取得用の画素と位相差ＡＦ用の画素とが設けられた固体撮像装置がある。【０００３】
しかしながら、固体撮像装置の有効画素エリア内に位相差ＡＦ用の画素があるため、その位置では画像取得用の画素が存在しない。これにより、その位置の画素が欠陥画素と同様に扱われる。ＡＦ動作の性能を確保するためには、ある程度の数の位相差ＡＦ用の画素が必要である。このため、画像データに対して、多数の位相差ＡＦ用の画素の位置における欠陥補完処理が必要である。この結果、十分な画質を得ることが困難でありうる。【０００４】
上記の点が改善された固体撮像装置が特許文献１に開示されている。特許文献１に開示された固体撮像装置は、積層された第１の基板と第２の基板とを有する。画像取得用の第１の光電変換部が第１の基板に配置され、位相差ＡＦ用の第２の光電変換部が第２の基板に配置される。【０００５】
特許文献１に開示された固体撮像装置の詳細を説明する。図７は、特許文献１に記載された固体撮像装置１０００の構成を示している。図７では固体撮像装置１０００の断面が示されている。図７に示すように、固体撮像装置１０００は、第１の基板８０と、第２の基板９０と、マイクロレンズＭＬと、カラーフィルタＣＦとを有する。第１の基板８０と、第２の基板９０とは積層されている。【０００６】
第１の基板８０の主面（基板の表面を構成する複数の面のうち最も広い面）にカラーフィルタＣＦが配置され、カラーフィルタＣＦ上にマイクロレンズＭＬが配置されている。図７では複数のマイクロレンズＭＬが存在するが、代表として１つのマイクロレンズＭＬの符号が示されている。また、図７では複数のカラーフィルタＣＦが存在するが、代表として１つのカラーフィルタＣＦの符号が示されている。【０００７】
固体撮像装置１０００の光学的前方に配置された撮像レンズを通過した、被写体からの光がマイクロレンズＭＬに入射する。マイクロレンズＭＬは、撮像レンズを透過した光を結像する。カラーフィルタＣＦは、所定の色に対応した波長の光を透過させる。例えば、赤、緑、青のカラーフィルタＣＦが、２次元状のベイヤー配列を構成するように配置される。【０００８】
第１の基板８０は、第１の半導体層８００と、第１の配線層８１０とを有する。第１の半導体層８００は、入射した光を信号に変換する第１の光電変換部８０１を有する。【０００９】
第１の配線層８１０は、第１の配線８１１と、第１のビア８１２と、第１の層間絶縁膜８１３とを有する。図７では複数の第１の配線８１１が存在するが、代表として１つの第１の配線８１１の符号が示されている。また、図７では複数の第１のビア８１２が存在するが、代表として１つの第１のビア８１２の符号が示されている。【００１０】
第１の配線８１１は、配線パターンが形成された薄膜である。第１の配線８１１は、第１の光電変換部８０１で生成された信号と、その他の信号（電源電圧、グランド電圧等）とを伝送する。図７に示す例では、４層の第１の配線８１１が形成されている。第２の基板９０に最も近い第４層に形成された第１の配線８１１は、遮光層８１１ａとしても機能する。【００１１】
遮光層８１１ａは、第１の基板８０に入射した光の一部のみが通過する開口部８１１０を有する。開口部８１１０は、遮光層８１１ａの側壁で構成されている。【００１２】
第１のビア８１２は、異なる層の第１の配線８１１を接続する。第１の配線層８１０において、第１の配線８１１および第１のビア８１２以外の部分は、第１の層間絶縁膜８１３で構成されている。【００１３】
第２の基板９０は、第２の半導体層９００と、第２の配線層９１０とを有する。第２の半導体層９００は、入射した光を信号に変換する第２の光電変換部９０１を有する。【００１４】
第２の配線層９１０は、第２の配線９１１と、第２のビア９１２と、第２の層間絶縁膜９１３と、ＭＯＳトランジスタ９２０とを有する。図７では複数の第２の配線９１１が存在するが、代表として１つの第２の配線９１１の符号が示されている。また、図７では複数の第２のビア９１２が存在するが、代表として１つの第２のビア９１２の符号が示されている。また、図７では複数のＭＯＳトランジスタ９２０が存在するが、代表として１つのＭＯＳトランジスタ９２０の符号が示されている。【００１５】
第２の配線９１１は、配線パターンが形成された薄膜である。第２の配線９１１は、第２の光電変換部９０１で生成された信号と、その他の信号（電源電圧、グランド電圧等）とを伝送する。図７に示す例では、２層の第２の配線９１１が形成されている。【００１６】
第２のビア９１２は、異なる層の第２の配線９１１を接続する。第２の配線層９１０において、第２の配線９１１および第２のビア９１２以外の部分は、第２の層間絶縁膜９１３で構成されている。【００１７】
ＭＯＳトランジスタ９２０は、ソース領域およびドレイン領域と、ゲート電極とを有する。ソース領域およびドレイン領域は、第２の半導体層９００に形成された拡散領域である。ゲート電極は、第２の配線層９１０に配置されている。ソース領域およびドレイン領域は、第２のビア９１２と接続されている。ゲート電極は、ソース領域とドレイン領域との間に配置されている。ＭＯＳトランジスタ９２０は、第２の配線９１１と第２のビア９１２とによって伝送された信号を処理する。【００１８】
第１の基板８０と第２の基板９０とは、第１のビア８１２と第２のビア９１２とを介して第１の基板８０と第２の基板９０との界面で電気的に接続されている。【００１９】
図７に示す固体撮像装置１０００は、第１の光電変換部８０１で生成された信号から撮像信号を生成することができる。また、図７に示す固体撮像装置１０００は、第２の光電変換部９０１で生成された信号から、位相差ＡＦによる焦点検出に用いる信号（位相差算出用信号）を生成することができる。
【先行技術文献】
【特許文献】
【００２０】
【特許文献１】日本国特開２０１３−１８７４７５号公報
【発明の概要】
【発明が解決しようとする課題】
【００２１】
上記の固体撮像装置１０００には以下の課題がある。位相差ＡＦでは、撮像レンズの射出瞳における左側の瞳領域を通過した光に基づく信号と、撮像レンズの射出瞳における右側の瞳領域を通過した光に基づく信号とがペアで取得される。このため、開口部８１１０は、マイクロレンズＭＬの中心に対して偏った位置に配置される。図７では、開口部８１１０は、マイクロレンズＭＬの中心よりも右に配置されている。図７に示されていない部分の開口部８１１０は、マイクロレンズＭＬの中心よりも左に配置されている。【００２２】
つまり、ペアである２つの信号を取得するために、第２の基板９０では位相差ＡＦ用の画素として２種類の画素が配置される。以下では、これら２種類の画素をそれぞれ第１の画素と第２の画素と呼ぶ。第１の画素では、開口部８１１０がマイクロレンズＭＬの中心よりも右に配置されている。第２の画素では、開口部８１１０がマイクロレンズＭＬの中心よりも左に配置されている。第１の画素と第２の画素とで信号が得られることにより、１つの画像取得用の画素に対応する位置で焦点検出を行うことが可能である。したがって、焦点検出を行うことができる位置の数の最大数は画像取得用の画素の数の半分である。【００２３】
本発明は、第２の基板のより多くの位置で信号を取得することができる固体撮像装置を提供する。
【課題を解決するための手段】
【００２４】
本発明の第１の態様によれば、固体撮像装置は、複数のマイクロレンズと、第１の基板と、第２の基板と、を有する。前記第１の基板は、複数の第１の光電変換部を有する。前記複数の第１の光電変換部はそれぞれ前記複数のマイクロレンズのいずれか１つに対応する。前記複数のマイクロレンズを透過した第１の光は、前記複数のマイクロレンズに対応する前記複数の第１の光電変換部に入射する。前記複数の第１の光電変換部は、前記第１の光に応じた第１の信号を生成する。前記第２の基板は、複数の第２の光電変換部および複数の第３の光電変換部を有する。複数の組が配置され、前記複数の組はそれぞれ１つの前記第２の光電変換部および１つの前記第３の光電変換部を含む。前記複数の組はそれぞれ前記複数の第１の光電変換部の少なくとも１つに対応する。前記複数の第１の光電変換部を透過した第２の光は、前記複数の第１の光電変換部に対応する前記複数の組に入射する。前記複数の第２の光電変換部は、第３の光に応じた第２の信号を生成する。前記第３の光は、第１のレンズ領域を通過した光に対応する前記第２の光である。前記複数の第３の光電変換部は、第４の光に応じた第３の信号を生成する。前記第４の光は、第２のレンズ領域を通過した光に対応する前記第２の光である。前記複数のマイクロレンズの光学的前方に撮像レンズが配置されている。前記撮像レンズは、前記第１のレンズ領域と前記第２のレンズ領域とを有する。【００２５】
本発明の第２の態様によれば、第１の態様において、前記第２の基板はさらに、前記第２の光電変換部と前記第３の光電変換部との間に配置された電荷分離領域を有してもよい。前記電荷分離領域は前記第２の光電変換部と前記第３の光電変換部との間の電荷の移動を妨げてもよい。【００２６】
本発明の第３の態様によれば、第２の態様において、前記第１の基板はさらに、配線層と分離層とを有してもよい。前記配線層は、積層された複数の配線を有してもよい。前記分離層は、前記複数の配線の一部を有し、前記電荷分離領域と重なるように配置されてもよい。【００２７】
本発明の第４の態様によれば、第１の態様において、前記複数の組は行列状に配置されてもよい。前記複数の組の配列の同一方向に沿って配置された２個以上の前記第２の光電変換部で生成された２個以上の前記第２の信号は加算されてもよい。前記同一方向に沿って配置された２個以上の前記第３の光電変換部で生成された２個以上の前記第３の信号は加算されてもよい。【００２８】
本発明の第５の態様によれば、第４の態様において、前記複数の組はそれぞれ２個以上の前記第１の光電変換部に対応してもよい。２個以上の前記第１の光電変換部を透過した前記第２の光は、前記２個以上の前記第１の光電変換部に対応する前記組に含まれる１つの前記第２の光電変換部および１つの前記第３の光電変換部に入射してもよい。
【発明の効果】
【００２９】
上記の各態様によれば、第２の基板は、複数の第２の光電変換部および複数の第３の光電変換部を有する。複数の組が配置され、複数の組はそれぞれ１つの第２の光電変換部および１つの第３の光電変換部を含む。複数の組はそれぞれ複数の第１の光電変換部の少なくとも１つに対応する。このため、第２の基板のより多くの位置で信号を取得することができる。
【図面の簡単な説明】
【００３０】
【図１】本発明の第１の実施形態の固体撮像装置の断面図である。
【図２】本発明の第１の実施形態の固体撮像装置における第１の光電変換部の配列を示す平面図である。
【図３】本発明の第１の実施形態の固体撮像装置における第２の光電変換部と、第３の光電変換部と、電荷分離領域との配列を示す平面図である。
【図４】本発明の第１の実施形態の固体撮像装置における第２の光電変換部と、第３の光電変換部と、電荷分離領域との配列を示す平面図である。
【図５】本発明の第１の実施形態の固体撮像装置における第２の光電変換部と、第３の光電変換部と、電荷分離領域との配列を示す平面図である。
【図６】本発明の第２の実施形態の固体撮像装置の断面図である。
【図７】従来の固体撮像装置の断面図である。
【発明を実施するための形態】
【００３１】
図面を参照し、本発明の実施形態を説明する。
【００３２】
（第１の実施形態）
図１は、本発明の第１の実施形態の固体撮像装置１ａの構成を示している。図１では固体撮像装置１ａの断面が示されている。図１に示すように、固体撮像装置１ａは、第１の基板１０と、第２の基板２０と、マイクロレンズ３０１と、カラーフィルタ３０２と、撮像レンズ４００とを有する。第１の基板１０と、第２の基板２０とは積層されている。
【００３３】
固体撮像装置１ａを構成する部分の寸法は、図１に示される寸法に従うわけではない。固体撮像装置１ａを構成する部分の寸法は任意であってよい。
【００３４】
第１の基板１０の主面（基板の表面を構成する複数の面のうち最も広い面）にカラーフィルタ３０２が配置され、カラーフィルタ３０２上にマイクロレンズ３０１が配置されている。図１では複数のマイクロレンズ３０１が存在するが、代表として１つのマイクロレンズ３０１の符号が示されている。また、図１では複数のカラーフィルタ３０２が存在するが、代表として１つのカラーフィルタ３０２の符号が示されている。
【００３５】
固体撮像装置１ａの光学的前方に配置された撮像レンズ４００を通過した、被写体からの光がマイクロレンズ３０１に入射する。マイクロレンズ３０１は、撮像レンズ４００を通過した光を結像する。カラーフィルタ３０２は、所定の色に対応した波長の光を透過させる。例えば、赤、緑、青のカラーフィルタ３０２が、２次元状のベイヤー配列を構成するように配置される。
【００３６】
複数のマイクロレンズ３０１の光学的前方に撮像レンズ４００が配置されている。撮像レンズ４００は、第１のレンズ領域４０１と第２のレンズ領域４０２とを有する。第１のレンズ領域４０１と第２のレンズ領域４０２とは、撮像レンズ４００の光軸を中心に対称である。例えば、第１のレンズ領域４０１は、撮像レンズ４００の射出瞳における左側の瞳領域である。例えば、第２のレンズ領域４０２は、撮像レンズ４００の射出瞳における右側の瞳領域である。
【００３７】
第１の基板１０は、第１の半導体層１００と、第１の配線層１１０とを有する。第１の半導体層１００と第１の配線層１１０とは、第１の基板１０の主面（基板の表面を構成する複数の面のうち最も広い面）を横切る方向（例えば、主面にほぼ垂直な方向）に重なっている。また、第１の半導体層１００と第１の配線層１１０とは互いに接触している。
【００３８】
第１の半導体層１００は、第１の光電変換部１０１を有する。図１では複数の第１の光電変換部１０１が存在するが、代表として１つの第１の光電変換部１０１の符号が示されている。第１の半導体層１００は、シリコン（Ｓｉ）等の半導体を含む材料で構成されている。例えば、第１の光電変換部１０１は、第１の半導体層１００を構成する半導体材料とは不純物濃度が異なる半導体材料で構成されている。第１の半導体層１００は、第１の面と第２の面とを有する。第１の半導体層１００の第１の面は、第１の配線層１１０と接触している。第１の半導体層１００の第１の面と反対側の第２の面は、カラーフィルタ３０２と接触している。第１の半導体層１００の第２の面は第１の基板１０の主面の１つを構成する。
【００３９】
複数の第１の光電変換部１０１はそれぞれ複数のマイクロレンズ３０１のいずれか１つに対応する。つまり、１つの第１の光電変換部１０１と１つのマイクロレンズ３０１とが対応する。複数のマイクロレンズ３０１を透過した第１の光は、複数のマイクロレンズ３０１に対応する複数の第１の光電変換部１０１に入射する。複数の第１の光電変換部１０１は、第１の光に応じた第１の信号を生成する。
【００４０】
第１の配線層１１０は、第１の配線１１１と、第１のビア１１２と、第１の層間絶縁膜１１３とを有する。図１では複数の第１の配線１１１が存在するが、代表として１つの第１の配線１１１の符号が示されている。また、図１では複数の第１のビア１１２が存在するが、代表として１つの第１のビア１１２の符号が示されている。
【００４１】
第１の配線１１１は、導電性を有する材料（例えば、アルミニウム（Ａｌ）または銅（Ｃｕ）等の金属）で構成されている。第１のビア１１２は、導電性を有する材料で構成されている。第１の配線層１１０は、第１の面と第２の面とを有する。第１の配線層１１０の第１の面は第２の基板２０と接触している。第１の配線層１１０の第１の面と反対側の第２の面は第１の半導体層１００と接触している。第１の配線層１１０の第１の面は第１の基板１０の主面の１つを構成する。
【００４２】
第１の配線１１１は、配線パターンが形成された薄膜である。第１の配線１１１は、第１の光電変換部１０１で生成された信号と、その他の信号（電源電圧、グランド電圧等）とを伝送する。１層のみの第１の配線１１１が形成されていてもよいし、複数層の第１の配線１１１が形成されていてもよい。図１に示す例では、４層の第１の配線１１１が形成されている。
【００４３】
第１のビア１１２は、異なる層の第１の配線１１１を接続する。第１の配線層１１０において、第１の配線１１１および第１のビア１１２以外の部分は、二酸化珪素（ＳｉＯ２）等で形成された第１の層間絶縁膜１１３で構成されている。
【００４４】
第２の基板２０は、第２の半導体層２００と、第２の配線層２１０とを有する。第２の半導体層２００と第２の配線層２１０とは、第２の基板２０の主面を横切る方向（例えば、主面にほぼ垂直な方向）に重なっている。また、第２の半導体層２００と第２の配線層２１０とは互いに接触している。
【００４５】
第２の半導体層２００は、第２の光電変換部２０１と、第３の光電変換部２０２と、電荷分離領域２０３とを有する。図１では複数の第２の光電変換部２０１が存在するが、代表として１つの第２の光電変換部２０１の符号が示されている。また、図１では複数の第３の光電変換部２０２が存在するが、代表として１つの第３の光電変換部２０２の符号が示されている。また、図１では複数の電荷分離領域２０３が存在するが、代表として１つの電荷分離領域２０３の符号が示されている。
【００４６】
第２の半導体層２００は、シリコン（Ｓｉ）等の半導体を含む材料で構成されている。例えば、第２の光電変換部２０１と第３の光電変換部２０２とは、第２の半導体層２００を構成する半導体材料とは不純物濃度が異なる半導体材料で構成されている。第１の光電変換部１０１に対応する領域に第２の光電変換部２０１と第３の光電変換部２０２とが配置されている。つまり、第２の光電変換部２０１と第３の光電変換部２０２とは、第１の光電変換部１０１を透過した光が入射する位置に配置されている。第２の半導体層２００は、第１の面と第２の面とを有する。第２の半導体層２００の第１の面は第２の配線層２１０と接触している。第２の半導体層２００の第１の面と反対側の第２の面は第１の基板１０と接触している。第２の半導体層２００の第２の面は第２の基板２０の主面の１つを構成する。
【００４７】
第２の光電変換部２０１と第３の光電変換部２０２とは、第２の基板２０の主面に平行な方向に沿って配置されている。複数の組が配置され、複数の組はそれぞれ１つの第２の光電変換部２０１と１つの第３の光電変換部２０２とを含む。複数の組はそれぞれ複数の第１の光電変換部１０１の少なくとも１つに対応する。つまり、１つの組に含まれる１つの第２の光電変換部２０１および１つの第３の光電変換部２０２と少なくとも１つの第１の光電変換部１０１とが対応する。複数の第１の光電変換部１０１を透過した第２の光は、複数の第１の光電変換部１０１に対応する複数の組に入射する。つまり、少なくとも１つの第１の光電変換部１０１を透過した第２の光は、１つの組に含まれる１つの第２の光電変換部２０１と１つの第３の光電変換部２０２とに入射する。複数の第２の光電変換部２０１は、第３の光に応じた第２の信号を生成する。第３の光は、第１のレンズ領域４０１を通過した光に対応する第２の光である。複数の第３の光電変換部２０２は、第４の光に応じた第３の信号を生成する。第４の光は、第２のレンズ領域４０２を通過した光に対応する第２の光である。
【００４８】
第２の配線層２１０は、第２の配線２１１と、第２のビア２１２と、第２の層間絶縁膜２１３と、電荷分離領域２０３とを有する。図１では複数の第２の配線２１１が存在するが、代表として１つの第２の配線２１１の符号が示されている。また、図１では複数の第２のビア２１２が存在するが、代表として１つの第２のビア２１２の符号が示されている。
【００４９】
第２の配線２１１は、導電性を有する材料（例えば、アルミニウム（Ａｌ）または銅（Ｃｕ）等の金属）で構成されている。第２のビア２１２は、導電性を有する材料で構成されている。第２の配線層２１０の第１の面は第２の基板２０の主面の１つを構成する。第２の配線層２１０の第１の面と反対側の第２の面は第２の半導体層２００と接触している。
【００５０】
第２の配線２１１は、配線パターンが形成された薄膜である。第２の配線２１１は、第２の光電変換部２０１と第３の光電変換部２０２とで生成された信号と、その他の信号（電源電圧、グランド電圧等）とを伝送する。１層のみの第２の配線２１１が形成されていてもよいし、複数層の第２の配線２１１が形成されていてもよい。図１に示す例では、４層の第２の配線２１１が形成されている。
【００５１】
第２のビア２１２は、異なる層の第２の配線２１１を接続する。第２のビア２１２は、第２の半導体層２００を貫通し、第１のビア１１２と接続されている。第２の配線層２１０において、第２の配線２１１と、第２のビア２１２と、電荷分離領域２０３と以外の部分は、二酸化珪素（ＳｉＯ２）等で形成された第２の層間絶縁膜２１３で構成されている。
【００５２】
第２の基板２０は、電荷分離領域２０３を有する。例えば、電荷分離領域２０３は、二酸化珪素（ＳｉＯ２）で構成されている。電荷分離領域２０３は、二酸化珪素（ＳｉＯ２）によって覆われたポリシリコンで構成されてもよい。電荷分離領域２０３は、二酸化珪素（ＳｉＯ２）によって覆われた金属（銅（Ｃｕ）等）で構成されてもよい。電荷分離領域２０３は、第２の半導体層２００と第２の配線層２１０とにまたがる。電荷分離領域２０３は、第２の光電変換部２０１と第３の光電変換部２０２との間に配置されている。１つの第２の光電変換部２０１と１つの第３の光電変換部２０２とに対応して１つの電荷分離領域２０３が配置されている。電荷分離領域２０３は第２の光電変換部２０１と第３の光電変換部２０２との間の電荷の移動を妨げる。電荷分離領域２０３はさらに、光を遮蔽することが望ましい。
【００５３】
第１の基板１０と第２の基板２０とは、第１の基板１０の第１の配線層１１０と第２の基板２０の第２の半導体層２００とが向かい合った状態で積層されている。第１の基板１０と第２の基板２０とは、電気的に接続されている。
【００５４】
固体撮像装置１ａは、第１の光電変換部１０１で生成された信号から撮像信号を生成することができる。また、固体撮像装置１ａは、第２の光電変換部２０１と第３の光電変換部２０２とで生成された信号から、位相差ＡＦによる焦点検出に用いる信号（位相差算出用信号）を生成することができる。
【００５５】
図２は、第１の光電変換部１０１の配列を示している。図２では、第１の基板１０の主面に垂直な方向に第１の基板１０を見た場合の配列が示されている。図２に示すように、第１の基板１０は、複数の第１の光電変換部１０１と複数のマイクロレンズ３０１とを有する。図２では代表として１つの第１の光電変換部１０１と１つのマイクロレンズ３０１との符号が示されている。複数の第１の光電変換部１０１と複数のマイクロレンズ３０１とは行列状に配置されている。図２に示すように、１つの第１の光電変換部１０１と１つのマイクロレンズ３０１とが対応する。
【００５６】
図３は、第２の光電変換部２０１と、第３の光電変換部２０２と、電荷分離領域２０３との配列を示している。図３では、第２の基板２０の主面に垂直な方向に第２の基板２０を見た場合の配列が示されている。図３に示すように、第２の基板２０は、複数の第２の光電変換部２０１と、複数の第３の光電変換部２０２と、複数の電荷分離領域２０３とを有する。図３では代表として１つの第２の光電変換部２０１と、１つの第３の光電変換部２０２と、１つの電荷分離領域２０３との符号が示されている。第２の光電変換部２０１と第３の光電変換部２０２との複数の組は行列状に配置されている。また、複数の電荷分離領域２０３は行列状に配置されている。
【００５７】
図３に示すように、１つのマイクロレンズ３０１に対応する位置に１つの第２の光電変換部２０１と、１つの第３の光電変換部２０２と、１つの電荷分離領域２０３とが配置されている。上記のように、１つの第１の光電変換部１０１と１つのマイクロレンズ３０１とが対応する。このため、１つの第２の光電変換部２０１と１つの第１の光電変換部１０１とが対応する。また、１つの第３の光電変換部２０２と１つの第１の光電変換部１０１とが対応する。また、１つの電荷分離領域２０３と１つの第１の光電変換部１０１とが対応する。
【００５８】
第２の基板２０において、１つの第１の光電変換部１０１に対応する領域に１つの第２の光電変換部２０１と１つの第３の光電変換部２０２とが配置される。第２の光電変換部２０１と第３の光電変換部２０２とによって、位相差ＡＦに必要な第２の信号と第３の信号とのペアが取得される。図７に示す固体撮像装置１０００では、位相差ＡＦに必要な２つの信号を得るための領域は、２つの第１の光電変換部８０１に対応する。一方、図１に示す固体撮像装置１ａでは、位相差ＡＦに必要な２つの信号を得るための領域は、１つの第１の光電変換部１０１に対応する。このため、固体撮像装置１ａでは、位相差ＡＦに必要な信号を第２の基板２０のより多くの位置で取得することができる。
【００５９】
第１の実施形態の第１の変形例を説明する。図４は、図３と同様の状態を示している。第２の光電変換部２０１と第３の光電変換部２０２との複数の組は行列状に配置されている。上記の複数の組の配列の同一方向に沿って配置された２個以上の第２の光電変換部２０１で生成された２個以上の第２の信号は加算される。また、上記の複数の組の配列の同一方向に沿って配置された２個以上の第３の光電変換部２０２で生成された２個以上の第３の信号は加算される。２個以上の第２の信号は、第２の配線２１１を介して伝送され、加算される。同様に、２個以上の第３の信号は、第２の配線２１１を介して伝送され、加算される。
【００６０】
図４に示す矢印は、第２の信号と第３の信号とが加算される様子を示している。図４では、列方向に配置された４個の第２の光電変換部２０１で生成された４個の第２の信号が加算される。また、図４では、列方向に配置された４個の第３の光電変換部２０２で生成された４個の第３の信号が加算される。加算された後の列毎の第２の信号と第３の信号とが、焦点検出に用いられる。
【００６１】
第１の実施形態の第２の変形例を説明する。図５は、第２の光電変換部２０１と、第３の光電変換部２０２と、電荷分離領域２０３との配列を示している。図５では、第２の基板２０の主面に垂直な方向に第２の基板２０を見た場合の配列が示されている。図５に示すように、第２の基板２０は、複数の第２の光電変換部２０１と、複数の第３の光電変換部２０２と、複数の電荷分離領域２０３とを有する。図５では代表として１つの第２の光電変換部２０１と、１つの第３の光電変換部２０２と、１つの電荷分離領域２０３との符号が示されている。
【００６２】
第２の光電変換部２０１と第３の光電変換部２０２との複数の組はそれぞれ２個以上の第１の光電変換部１０１に対応する。２個以上の第１の光電変換部１０１を透過した第２の光は、２個以上の第１の光電変換部１０１に対応する組に含まれる１つの第２の光電変換部２０１と１つの第３の光電変換部２０２とに入射する。
【００６３】
図５では、第２の基板２０の主面に垂直な方向に第２の基板２０を見た場合に、１つの第２の光電変換部２０１と、１つの第３の光電変換部２０２と、１つの電荷分離領域２０３とが２個以上のマイクロレンズ３０１と重なる。上記のように、１つの第１の光電変換部１０１と１つのマイクロレンズ３０１とが対応する。このため、１つの第２の光電変換部２０１と、列方向に配置された２個以上の第１の光電変換部１０１とが対応する。また、１つの第３の光電変換部２０２と、列方向に配置された２個以上の第１の光電変換部１０１とが対応する。また、１つの電荷分離領域２０３と、列方向に配置された２個以上の第１の光電変換部１０１とが対応する。１つの第２の光電変換部２０１によって、列毎の第２の信号が生成される。また、１つの第３の光電変換部２０２によって、列毎の第３の信号が生成される。
【００６４】
図５では、第２の光電変換部２０１と第３の光電変換部２０２との行方向の配置の密度は、図４における第２の光電変換部２０１と第３の光電変換部２０２との行方向の配置の密度と同一である。このため、第２の基板２０において、上記の配列の行方向に関して、位相差ＡＦに必要な信号をより多くの位置で取得することができる。
【００６５】
本発明の各態様の固体撮像装置は、第１の配線層１１０と、第２の配線層２１０と、カラーフィルタ３０２と、撮像レンズ４００との少なくとも１つに対応する構成を有していなくてもよい。
【００６６】
第１の実施形態によれば、複数のマイクロレンズ３０１と、第１の基板１０と、第２の基板２０とを有する固体撮像装置１ａが構成される。第１の基板１０は、複数の第１の光電変換部１０１を有する。第２の基板２０は、複数の第２の光電変換部２０１と、複数の第３の光電変換部２０２とを有する。
【００６７】
第１の実施形態では、第２の基板２０は、複数の第２の光電変換部２０１および複数の第３の光電変換部２０２を有する。複数の組が配置され、複数の組はそれぞれ１つの第２の光電変換部２０１および１つの第３の光電変換部２０２を含む。複数の組はそれぞれ複数の第１の光電変換部１０１の少なくとも１つに対応する。このため、第２の基板２０のより多くの位置で信号を取得することができる。
【００６８】
図７に示す固体撮像装置１０００では、第１の光電変換部８０１を透過した光の一部は遮光層８１１ａにより反射される。遮光層８１１ａにより反射された光は、隣接する画素の第１の光電変換部８０１に入射しうる。このため、混色が発生する可能性がある。また、位相差ＡＦ用の第１の画素と第２の画素とでは、開口部８１１０が配置された位置が異なる。このため、光量が均一な光が固体撮像装置１０００に入射した場合、画像取得用の画素の位置に応じて、遮光層８１１ａにより反射されて複数の第１の光電変換部８０１に入射する光の量が異なりうる。この結果、複数の第１の光電変換部８０１で生成される信号のばらつきが生じる可能性がある。
【００６９】
図１に示す固体撮像装置１ａでは、第１の配線１１１は遮光層を有していない。また、固体撮像装置１ａでは、１つの第２の光電変換部２０１と、１つの第３の光電変換部２０２と、１つの電荷分離領域２０３との組の構造は、第２の基板２０のどの位置においてもほぼ同一である。このため、光量が均一な光が固体撮像装置１ａに入射した場合、複数の第１の光電変換部１０１に入射する光の量はほぼ均一である。この結果、複数の第１の光電変換部１０１で生成される信号のばらつきが低減される。
【００７０】
（第２の実施形態）
図６は、本発明の第２の実施形態の固体撮像装置１ｂの構成を示している。図６では固体撮像装置１ｂの断面が示されている。図６に示すように、固体撮像装置１ｂは、第１の基板１０と、第１の基板１０に積層された第２の基板２０と、マイクロレンズ３０１と、カラーフィルタ３０２と、撮像レンズ４００とを有する。
【００７１】
図６に示す構成について、図１に示す構成と異なる点を説明する。第１の基板１０は、第１の配線層１１０と分離層１１４とを有する。第１の配線層１１０は、積層された複数の第１の配線１１１を有する。分離層１１４は、複数の第１の配線１１１の一部を有し、電荷分離領域２０３と重なるように配置されている。
【００７２】
図６では、分離層１１４は、第１の配線層１１０に配置されている。分離層１１４は、３層の第１の配線１１１と、異なる層の第１の配線１１１を接続するビアとで構成されている。分離層１１４を構成するビアは、第１のビア１１２と同様である。第１の基板１０の主面に垂直な方向に第１の基板１０を見た場合に、分離層１１４は、第２の光電変換部２０１と第３の光電変換部２０２との間に配置されている。分離層１１４は、光を反射する特性を有する。例えば、分離層１１４は、柱状である。
【００７３】
上記以外の点については、図６に示す構成は図１に示す構成と同様である。
【００７４】
第２の実施形態では、分離層１１４は光導波路として機能する。分離層１１４の側壁によって光が反射される。このため、第１の光電変換部１０１を透過した第２の光が、第３の光と第４の光とに分離しやすい。第３の光は、撮像レンズ４００の第１のレンズ領域４０１を通過した光に対応する。第４の光は、撮像レンズ４００の第２のレンズ領域４０２を通過した光に対応する。この結果、光が第２の光電変換部２０１と第３の光電変換部２０２とに効率的に入射する。
【００７５】
電荷分離領域２０３が二酸化珪素（ＳｉＯ２）のみで構成されている場合、または電荷分離領域２０３が二酸化珪素（ＳｉＯ２）とポリシリコンとで構成されている場合、光が電荷分離領域２０３を透過する可能性がある。分離層１１４が設けられることにより、第２の光電変換部２０１または第３の光電変換部２０２に入射する光の方向が電荷分離領域２０３を横切る方向になりにくい。このため、光が電荷分離領域２０３を透過しにくい。
【００７６】
以上、図面を参照して本発明の実施形態について詳述してきたが、具体的な構成は上記の実施形態に限られるものではなく、本発明の要旨を逸脱しない範囲の設計変更等も含まれる。
【産業上の利用可能性】
【００７７】
本発明の各実施形態によれば、第２の基板は、複数の第２の光電変換部および複数の第３の光電変換部を有する。複数の組が配置され、複数の組はそれぞれ１つの第２の光電変換部および１つの第３の光電変換部を含む。複数の組はそれぞれ複数の第１の光電変換部の少なくとも１つに対応する。このため、第２の基板のより多くの位置で信号を取得することができる。
【符号の説明】
【００７８】
１ａ，１ｂ，１０００  固体撮像装置
１０，８０  第１の基板
２０，９０  第２の基板
１００，８００  第１の半導体層
１０１，８０１  第１の光電変換部
１１０，８１０  第１の配線層
１１１，８１１  第１の配線
１１２，８１２  第１のビア
１１３，８１３  第１の層間絶縁膜
１１４  分離層
２００，９００  第２の半導体層
２０１，９０１  第２の光電変換部
２０２  第３の光電変換部
２０３  電荷分離領域
２１０，９１０  第２の配線層
２１１，９１１  第２の配線
２１２，９１２  第２のビア
２１３，９１３  第２の層間絶縁膜
３０１，ＭＬ  マイクロレンズ
３０２，ＣＦ  カラーフィルタ
８１１ａ  遮光層
９２０  ＭＯＳトランジスタ
８１１０  開口部
【図１】
2016111004.tif 000003
【図２】
2016111004.tif 000004
【図３】
2016111004.tif 000005
【図４】
2016111004.tif 000006
【図５】
2016111004.tif 000007
【図６】
2016111004.tif 000008
【図７】
2016111004.tif 000009
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
複数のマイクロレンズと、
複数の第１の光電変換部を有し、前記複数の第１の光電変換部はそれぞれ前記複数のマイクロレンズのいずれか１つに対応し、前記複数のマイクロレンズを透過した第１の光は、前記複数のマイクロレンズに対応する前記複数の第１の光電変換部に入射し、前記複数の第１の光電変換部は、前記第１の光に応じた第１の信号を生成する第１の基板と、
複数の第２の光電変換部および複数の第３の光電変換部を有し、複数の組が配置され、前記複数の組はそれぞれ１つの前記第２の光電変換部および１つの前記第３の光電変換部を含み、前記複数の組はそれぞれ前記複数の第１の光電変換部の少なくとも１つに対応し、前記複数の第１の光電変換部を透過した第２の光は、前記複数の第１の光電変換部に対応する前記複数の組に入射し、前記複数の第２の光電変換部は、第３の光に応じた第２の信号を生成し、前記第３の光は、第１のレンズ領域を通過した光に対応する前記第２の光であり、前記複数の第３の光電変換部は、第４の光に応じた第３の信号を生成し、前記第４の光は、第２のレンズ領域を通過した光に対応する前記第２の光である第２の基板と、
を有し、
前記複数のマイクロレンズの光学的前方に撮像レンズが配置され、前記撮像レンズは、前記第１のレンズ領域と前記第２のレンズ領域とを有し、
前記第２の基板はさらに、前記第２の光電変換部と前記第３の光電変換部との間に配置された電荷分離領域を有し、前記電荷分離領域は前記第２の光電変換部と前記第３の光電変換部との間の電荷の移動を妨げる
固体撮像装置。
【請求項２】
（削除）
【請求項３】
前記第１の基板はさらに、
積層された複数の配線を有する配線層と、
前記複数の配線の一部を有し、前記電荷分離領域と重なるように配置された分離層と、
を有する請求項１に記載の固体撮像装置。
【請求項４】
前記複数の組は行列状に配置され、
前記複数の組の配列の同一方向に沿って配置された２個以上の前記第２の光電変換部で生成された２個以上の前記第２の信号は加算され、前記同一方向に沿って配置された２個以上の前記第３の光電変換部で生成された２個以上の前記第３の信号は加算される
請求項１に記載の固体撮像装置。
【請求項５】
前記複数の組はそれぞれ２個以上の前記第１の光電変換部に対応し、２個以上の前記第１の光電変換部を透過した前記第２の光は、前記２個以上の前記第１の光電変換部に対応する前記組に含まれる１つの前記第２の光電変換部および１つの前記第３の光電変換部に入射する請求項１に記載の固体撮像装置。
【国際調査報告】
2016111004.tif 000010
2016111004.tif 000011